(57)【要約】【課題】てんぷを規正する規正装置をムーブメントに効率的に配置した、薄く小型なムーブメントを有する自動巻時計を提供する。【解決手段】自動巻時計は地板１０２と、時刻表示車３２４と、巻真１１０と、切換装置とを有する。香箱車１２０は、地板の表側に配置され、第１領域３０１と第４領域３０４との間の地板基準水平軸線３０８にオーバーラップするように配置される。てんぷ１４０は、地板の表側に配置され、第２領域３０２と第３領域３０３との間の地板基準水平軸線３０８にオーバーラップするように配置される。切換装置は地板の裏側に配置される。規正装置４７０は、地板を貫通しててんぷ１４０を規正するための規正部分４７０ｂを含む。規正装置の規正部分がてんぷを規正する部分は、第２領域３０２内にあり、規正装置４７０の回転中心は第２領域３０２内にある。【選択図】      図７
2004170270.tif 000002
【特許請求の範囲】
【請求項１】
ムーブメント（１００）の基板を構成する地板（１０２）と、時刻情報を表示するために前記地板（１０２）に回転中心（３００）をもって回転する時刻表示車（３２４）と、前記時刻情報を修正するための巻真（３１０）及びつづみ車（４６２）と、前記巻真（３１０）の軸線方向の位置を決めるための切換装置（４２０、４３０）と、時刻表示車（３２４）とともに時刻情報を表示するための文字板（１０４）とを有する自動巻時計であって、
前記地板（１０２）に、前記時刻表示車（３２４）の回転中心（３００）を通り前記巻真（３１０）の中心軸線とほぼ平行な地板基準垂直軸線（３０６）、及び、前記時刻表示車（３２４）の回転中心（３００）を通り前記地板基準垂直軸線（３０６）と垂直な地板基準水平軸線（３０８）を定義したとき、前記地板（１０２）には、前記地板基準垂直軸線（３０６）の一方の側に位置しかつ前記地板基準水平軸線（３０８）より前記巻真（３１０）に近い方の側の第１領域（３０１）と、前記地板基準垂直軸線（３０６）の他方の側に位置しかつ前記地板基準水平軸線（３０８）より前記巻真（３１０）に近い方の側の第２領域（３０２）と、前記地板基準垂直軸線（３０６）の前記第２領域（３０２）のある前記他方の側に位置しかつ前記地板基準水平軸線（３０８）より前記巻真（３１０）から遠い方の側の第３領域（３０３）と、前記地板基準垂直軸線（３０６）の前記第１領域（３０１）のある前記一方の側に位置しかつ前記地板基準水平軸線（３０８）より前記巻真（３１０）から遠い方の側の第４領域（３０４）とが設けられており、
前記地板（１０２）の前記文字板と反対側に配置され、かつ、前記第１領域（３０１）と前記第４領域（３０４）との間の前記地板基準水平軸線（３０８）にオーバーラップするように配置された香箱車（３２０）と、
前記地板（１０２）の前記文字板と反対側に配置され、かつ、前記第２領域（３０２）と前記第３領域（３０３）との間の前記地板基準水平軸線（３０８）にオーバーラップするように配置されたてんぷ（３４０）と、
前記地板（１０２）の文字板と反対側に配置され、かつ、前記香箱車（３２０）のぜいまい巻くための自動巻機構（２１０、２１２、２１６、２２０）とを備え、
前記切換装置（４２０、４３０）は、前記地板（１０２）の前記文字板（１０４）のある側に配置されており、
前記切換装置（４２０、４３０）の作動により作動する規正装置（４７０）が、前記地板（１０２）の前記文字板（１０４）のある側に配置されており、
前記規正装置（４７０）は、前記地板（１０２）を貫通して前記てんぷ（３４０）を規正するための規正部分（４７０ｂ）を含んでおり、
前記地板（１０２）の前記文字板と反対側において、前記規正装置（４７０）の規正部分（４７０ｂ）が前記てんぷ（３４０）を規正する部分は、前記第２領域（３０２）内にあり、前記地板（１０２）の前記文字板のある側において、前記規正装置（４７０）の回転中心は前記第２領域（３０２）内にある、
ことを特徴とする自動巻時計。
【請求項２】
時計の動力源を構成するぜんまい（３２２）を含む香箱車（３２０）が、前記第１領域（３０１）と前記第４領域（３０４）との間の地板基準水平軸線（３０８）にオーバーラップするように配置されていることを特徴とする、請求項１に記載の自動巻時計。
【請求項３】
前記地板（１０２）の前記文字板と反対側に配置され、かつ、前記香箱車（３２０）の回転により回転する二番車（３２５）と、
前記地板（１０２）の前記文字板と反対側に配置され、かつ、前記二番車（３２５）の回転により回転する三番車（３２６）と、
前記地板（１０２）の前記文字板と反対側に配置され、かつ、前記三番車（３２６）の回転により回転し、かつ、秒を表示するために作動する四番車（３２８）とを更に備え、
前記時刻表示車（３２４）は、前記地板（１０２）の前記文字板のある側に配置され、かつ、前記三番車（３２６）の回転により回転するように構成されており、
前記二番車（３２５）の回転中心、および、前記三番車（３２６）の回転中心は、前記第４領域（３０４）内に位置する、
ことを特徴とする、請求項２に記載の自動巻時計。
【請求項４】
前記地板（１０２）の前記文字板と反対側に配置され、かつ、前記第３領域（３０３）内に回転中心を有するがんぎ車（３３０）と、
前記地板（１０２）の前記文字板と反対側に配置され、かつ、前記第３領域（３０３）内に揺動中心を有するアンクル（３４２）と、
を更に備えることを特徴とする、請求項１〜３のいずれか１項に記載の自動巻時計。
【請求項５】
前記自動巻機構は、回転錘の２方向の回転を入力して１方向の回転を出力するように構成された切換伝え車（２２０）を含み、該切換伝え車（２２０）は、前記第３領域（３０３）と前記第４領域（３０４）との間の地板基準垂直軸線（３０６）にオーバーラップするように配置されていることを特徴とする、請求項１〜４のいずれか１項に記載の自動巻時計。
【発明の詳細な説明】
【０００１】
【発明の属する技術分野】
本発明は、一般的には、規正装置を備えた自動巻時計に関する。特に、本発明は、おしどりの回転により作動する規正装置を備え、かつ、ムーブメントの小型化・薄型化を可能にした自動巻時計に関する。
【０００２】
【従来の技術】
（１）特許文献１に開示されている従来の自動巻時計
従来の自動巻時計は、地板と、二番車と、香箱車と、脱進調速装置と、切換装置と、文字板と、回転錘とを有している。香箱車は、地板の文字板と反対側に配置され、かつ、第１領域内に回転中心を有する。がんぎ車、アンクルは、地板の文字板と反対側に配置され、かつ、第３領域内に回転中心を有する。てんぷ（７０）は、地板の文字板と反対側に配置され、かつ、第３領域と第４領域との間の地板基準垂直軸線にオーバーラップするように配置される。おしどりの揺動中心、かんぬきの揺動中心は、地板の文字板と反対側に配置され、かつ、第２領域内にある。自動巻機構は、回転錘、つめレバーなどを含む。日車は地板の文字板側に配置される（例えば、特許文献１参照）。
【０００３】
【特許文献１】
特開平１０−１０４３６４号公報（第４〜６頁、図１）
【０００４】
【発明が解決しようとする課題】
しかしながら、従来の自動巻時計では、回転錘、つめレバーなどを含む自動巻機構が、輪列機構の上に配置されているので、ムーブメントを薄くするのがむずかしかった。
また、従来の自動巻時計では、切換装置と、てんぷが離れて配置されているので、ムーブメントに、てんぷを規正する規正装置を配置するのがむずかしかった。
【０００５】
【発明の目的】
本発明の他の目的は、薄く小型なムーブメントを有する自動巻時計を提供することにある。
本発明の他の目的は、てんぷを規正する規正装置をムーブメントに効率的に配置した自動巻時計を提供することにある。
【０００６】
【課題を解決するための手段】
本発明の自動巻時計は、ムーブメントの基板を構成する地板と、時刻情報を表示するために地板に回転中心をもって回転する時刻表示車と、時刻情報を修正するための巻真及びつづみ車と、巻真の軸線方向の位置を決めるための切換装置と、時刻表示車とともに時刻情報を表示するための文字板とを有する。ここで、時刻表示車は、例えば、分車である。切換装置は、例えば、おしどり、かんぬきなどを含む。本発明の自動巻時計では、地板に、時刻表示車の回転中心を通り巻真の中心軸線とほぼ平行な地板基準垂直軸線、及び、時刻表示車の回転中心を通り地板基準垂直軸線と垂直な地板基準水平軸線を定義したとき、地板には、地板基準垂直軸線の一方の側に位置しかつ地板基準水平軸線より巻真に近い方の側の第１領域と、地板基準垂直軸線の他方の側に位置しかつ地板基準水平軸線より巻真に近い方の側の第２領域と、地板基準垂直軸線の第２領域のある他方の側に位置しかつ地板基準水平軸線より前記巻真から遠い方の側の第３領域と、地板基準垂直軸線の第１領域のある一方の側に位置しかつ地板基準水平軸線より巻真から遠い方の側の第４領域とが設けられている。
【０００７】
本発明の自動巻時計は、地板の文字板と反対側に配置され、かつ、前記第１領域と前記第４領域との間の前記地板基準水平軸線にオーバーラップするように配置された香箱車と、地板の文字板と反対側に配置され、かつ、前記第２領域と前記第３領域との間の前記地板基準水平軸線にオーバーラップするように配置されたてんぷと、地板の文字板と反対側に配置され、かつ、香箱車のぜいまい巻くための自動巻機構とを備える。本発明の自動巻時計では、切換装置は、地板の文字板のある側に配置されており、切換装置の作動により作動する規正装置が、地板の文字板のある側に配置されている。この規正装置は、地板を貫通しててんぷを規正するための規正部分を含んでいる。本発明の自動巻時計では、地板の文字板と反対側において、規正装置の規正部分がてんぷを規正する部分は、前記第２領域内にあり、地板の文字板のある側において、規正装置の回転中心は前記第２領域内にあることを特徴とする。この構成により、小型で薄型の規正装置を地板に組み込むことができ、小型で薄型の自動巻時計を実現することができる。
【０００８】
本発明の自動巻時計では、時計の動力源を構成するぜんまいを含む香箱車が、前記第１領域と前記第４領域との間の地板基準水平軸線にオーバーラップするように配置されるのが好ましい。この構成により、サイズが大きな香箱車を地板に組み込むことができるので、大きいぜんまいトルクをもち、かつ、持続時間が長い自動巻時計を実現することができる。
【０００９】
本発明の自動巻時計は、地板の文字板と反対側に配置され、かつ、香箱車の回転により回転する二番車と、地板の文字板と反対側に配置され、かつ、二番車の回転により回転する三番車と、地板の前記文字板と反対側に配置され、かつ、三番車の回転により回転し、かつ、秒を表示するために作動する四番車とを更に備え、時刻表示車は、地板の文字板のある側に配置され、かつ、三番車の回転により回転するように構成され、二番車の回転中心、および、三番車の回転中心は、前記第４領域内に位置するのが好ましい。この構成により、サイズが大きな香箱車を地板の表側に組み込むことができる。また、時刻表示車が地板の文字板のある側に配置されるので、時計を薄くすることができる。
【００１０】
本発明の自動巻時計は、地板の文字板と反対側に配置され、かつ、前記第３領域内に回転中心を有するがんぎ車と、地板の文字板と反対側に配置され、かつ、前記第３領域内に揺動中心を有するアンクルとを更に備えるのが好ましい。
さらに、本発明の自動巻時計では、自動巻機構は、回転錘の２方向の回転を入力して１方向の回転を出力するように構成された切換伝え車を含み、切換伝え車は、前記第３領域と前記第４領域との間の地板基準垂直軸線にオーバーラップするように配置されるのが好ましい。このように構成したので、本発明の自動巻時計では、輪列装置、脱進調速装置、切換装置、自動巻機構、規正機構をスペースの無駄無く配置されている。したがって、本発明により、小型で薄型の自動巻時計を実現することができる。
【００１１】
【発明の効果】
本発明により、部品の形状が簡単で、部品の製造、組み立て、調整が容易な自動巻時計を実現することができる。
更に、本発明は、自動巻時計において、輪列装置、脱進調速装置、切換装置、自動巻機構、カレンダ機構をスペースの無駄無く配置したので、小型で薄型の自動巻時計を実現することができる。
本発明により、てんぷを規正する規正装置をムーブメントに効率的に配置することができる。
【００１２】
【発明の実施の形態】
以下に、本発明の自動巻時計の実施の形態を図面に基づいて説明する。
（１）ムーブメントの表側の構造
最初に、本発明の自動巻時計の実施の形態において、「ムーブメント」の表側（地板の文字板と反対にある方の側）に配置された表輪列、脱進機構、調速機構の構造を説明する。「ムーブメント」とは、時計を駆動する機構を含む時計の機械体を意味する。
図１〜図３、図７〜図９を参照すると、本発明の自動巻時計において、ムーブメント１００は、ムーブメント１００の基板を構成する地板１０２を有する。巻真３１０が、地板１０２の巻真案内穴に回転可能に組み込まれる。文字板１０４（図１、図２、図８、図９に仮想線で示す）がムーブメント１００に取付けられる。
【００１３】
一般に、地板の両側のうちで、文字板のある方の側をムーブメントの「裏側」（或いは、「地板の裏側」）と称し、文字板のある方の側と反対側をムーブメントの「表側」（或いは、「地板の表側」）と称する。そして、ムーブメントの「表側」に組み込まれる輪列を「表輪列」と称し、ムーブメントの「裏側」に組み込まれる輪列を「裏輪列」と称する。図７を参照すると、てんぷ３４０、がんぎ車３３０、アンクル３４２を含む脱進・調速装置と、四番車３２８、三番車３２６、二番車３２５、香箱車３２０を含む表輪列とが、ムーブメント１００の「表側」に配置される。さらに、香箱車３２０の上軸部、二番車３２５の上軸部を回転可能なように支持する香箱受３６０と、三番車３２６の上軸部、四番車３２８の上軸部、がんぎ車３３０の上軸部を回転可能なように支持する輪列受３６２と、アンクル３４２の上軸部を回転可能なように支持するアンクル受３６６と、てんぷ３４０の上軸部を回転可能なように支持するてんぷ受３６６とが、ムーブメント１００の「表側」に配置される。
【００１４】
（２）脱進・調速装置および表輪列の構造と作用
次に、本発明の自動巻時計の実施の形態において、脱進・調速装置および表輪列の構造を説明する。おしどり、かんぬき、かんぬきばね、かんぬき押さえなどを含む切換装置により、巻真３１０の軸線方向の位置を決める。巻真３１０が、回転軸線方向に沿ってムーブメント１００の内側に一番近い方の第１の巻真位置（０段目）にある状態で巻真３１０を回転させると、つづみ車（図示せず）の回転を介してきち車（図示せず）が回転する。丸穴車（図示せず）が、きち車の回転により回転するように構成される。角穴車３１６が、丸穴車の回転により回転する。香箱車３２０は、香箱歯車３２０ｄと、香箱真３２０ｆ、ぜんまい３２２とを備える。角穴車３１６が回転することにより、香箱車３２０に収容されたぜんまい３２２を巻き上げるように構成される。
【００１５】
二番車３２５が、香箱車３２０の回転により回転するように構成される。二番車３２５は二番歯車３２５ａと、二番かな３２５ｂとを含む。香箱歯車３２０ｄは二番かな３２５ｂと噛み合うように構成される。三番車３２６が二番車３２５の回転により回転するように構成される。三番車３２６は三番歯車３２６ａと、三番かな３２６ｂとを含む。四番車３２８が、三番車３２６の回転により１分間に１回転するように構成される。四番車３２８は四番歯車３２８ａと、四番かな３２８ｂとを含む。三番歯車３２６ａは四番かな３２８ｂと噛み合うように構成される。四番車３２８の回転により、がんぎ車３３０は、アンクル３４２に制御されながら回転するように構成される。がんぎ車３３０はがんぎ歯車３３０ａと、がんぎかな３３０ｂとを含む。四番歯車３２８ａはがんぎかな３３０ｂと噛み合うように構成される。香箱車３２０、二番車３２５、三番車３２６、四番車３２８は表輪列を構成する。
【００１６】
表輪列の回転を制御するための脱進・調速装置は、てんぷ３４０と、がんぎ車３３０と、アンクル３４２とを含む。てんぷ３４０は、てん真３４０ａと、てん輪３４０ｂと、ひげぜんまい３４０ｃとを含む。ひげぜんまい３４０ｃは、複数の巻き数をもったうずまき状（螺旋状）の形態の薄板ばねである。てんぷ３４０は、地板１０２及びてんぷ受３６６に対して回転可能なように支持される。
【００１７】
分車３２４は、分歯車３２４ａと筒かな３２４ｂとを含む。分歯車３２４ａは三番かな３２６ｂと噛み合うように構成される。分歯車３２４ａと筒かな３２４ｂは一体になって回転するように構成される。筒かな３２４ｂと分歯車３２４ａには、筒かな３２４ｂが分歯車３２４ａに対してスリップできるように構成されたスリップ機構が設けられる。三番車３２６の回転により分車３２４の回転を介して、日の裏車３４８が回転するように構成される。日の裏車３４８は日の裏歯車３４８ａと、日の裏かな３４８ｂとを含む。筒かな３２４ｂは日の裏歯車３４８ａと噛み合うように構成される。筒車３５４が日の裏かな３４８ｂと噛み合うように構成される。日の裏車３４８の回転により、筒車３５４は１２時間に１回転するように構成される。分車３２４、日の裏車３４８、筒車３５４は、裏輪列を構成する。
【００１８】
香箱車３２０、二番車３２５は、地板１０２及び香箱受３６０に対して回転可能なように支持される。すなわち、香箱車３２０の上軸部、二番車３２５の上軸部、がんぎ車３３０の上軸部は、輪列受３６２に対して回転可能なように支持される。また、香箱車３２０の下軸部、二番車３２５の下軸部は、地板１０２に対して、回転可能に支持される。三番車３２６、四番車３２８、がんぎ車３３０は、地板１０２及び輪列受３６２に対して回転可能なように支持される。すなわち、三番車３２６の上軸部、四番車３２８の上軸部、がんぎ車３３０の上軸部は、輪列受３６２に対して回転可能なように支持される。
【００１９】
また、三番車３２６の下軸部、がんぎ車３３０の下軸部は、地板１０２に対して、回転可能に支持される。四番車３２８の下軸部は、地板１０２に固定された中心パイプ１０２ｊの中心穴の中に回転可能に支持される。アンクル３４２は、地板１０２及びアンクル受３６４に対して回転可能なように支持される。すなわち、アンクル３４２の上軸部は、アンクル受３６４に対して回転可能なように支持される。アンクル３４２の下軸部は、地板１０２に対して、回転可能に支持される。
【００２０】
香箱車３２０の回転により、二番車３２５、三番車３２６の回転を介して、分車３２４は１時間に１回転する。分車３２４の筒かな３２４ｂに取付けられた分針３５２が「分」を表示する。二番車３２５の回転により、三番車３２６の回転を介して、四番車３２８は１分間に１回転する。四番車３２８に取付けられた秒針３５８が「秒」を表示する。分車３２４の回転に基づいて、日の裏車３４８の回転を介して、筒車３５４は１２時間に１回転する。筒車３５４に取付けられた時針３５６が「時」を表示する。
【００２１】
巻真３１０を引き出して第３の巻真位置（２段目）にある状態で、巻真３１０を回転させると、つづみ車４６２（図１３参照）、小鉄車４６４（図１３参照）の回転を介して、日の裏車３４８を回転させることができる。この状態で、日の裏車３４８を回転させると、筒かな３２４ｂおよび筒車３５４を回転させることができるので、時計の時刻を修正することができる。この状態では、筒かな３２４ｂおよび分歯車３２４ａに設けられたスリップ機構によりは、筒かな３２４ｂは分歯車３２４ａに対してスリップすることができる。
【００２２】
（３）自動巻機構の構造
次に、本発明の自動巻時計の実施の形態において、自動巻機構の構造を説明する。図１〜図３を参照すると、自動巻機構は回転錘２１０と、回転錘２１０の回転に基づいて回転する一番仲介車２１２と、一番仲介車２１２の回転に基づいて回転する二番仲介車２１６と、一番仲介車２１２および二番仲介車２１６の回転に基づいて１方向に回転する切換伝え車２２０と、切換伝え車２２０の回転に基づいて回転する一番伝え車２５０と、一番伝え車２５０の回転に基づいて回転する二番伝え車２５２と、二番伝え車２５２の回転に基づいて回転する三番伝え車２５４とを備える。回転錘２１０は、輪列受３６２に固定された内輪２１０ａと、複数のボール２１０ｂと、外輪２１０ｃと、外輪２１０ｃと一体に設けられた回転錘かな２１０ｄと、外輪２１０ｃに固定された回転錘体２１０ｅと、回転錘体２１０ｅに固定された回転重錘２１０ｆとを含む。外輪２１０ｃはボール２１０ｂを介して内輪２１０ａに対して回転可能なように構成される。
【００２３】
一番仲介車２１２は一番仲介歯車２１２ａと、一番仲介かな２１２ｂとを含む。一番仲介車２１２は地板１０２に設けられた一番仲介車ピン１０２ｇに対して回転可能に設けられる。回転錘かな２１０ｄは一番仲介歯車２１２ａと噛み合うように構成される。二番仲介車２１６は二番仲介歯車２１６ａを含む。二番仲介歯車２１６ａは一番仲介かな２１２ｂと噛み合うように構成される。二番仲介車２１６の上軸部、切換伝え車２２０の上軸部２２０ａは、輪列受３６２に対して回転可能に設けられる。二番仲介車２１６の下軸部、切換伝え車２２０の下軸部２２０ｅは、地板１０２に対して回転可能に設けられる。
【００２４】
一番伝え車２５０は一番伝え歯車２５０ａと、一番伝えかな２５０ｂとを含む。二番伝え車２５２は二番伝え歯車２５２ａを含む。一番伝えかな２５０ｂは二番伝え歯車２５２ａと噛み合うように構成される。三番伝え車２５４は三番伝え歯車２５４ａと、三番伝えかな２５４ｂとを含む。二番伝え歯車２５２ａは一番伝えかな２５０ｂおよび三番伝え歯車２５４ａと噛み合うように構成される。一番伝え車２５０の上軸部、二番伝え車２５２の上軸部は、伝え受２７０に対して回転可能に設けられる。一番伝え車２５０の下軸部、二番伝え車２５２の下軸部は、香箱受３６０に対して回転可能に設けられる。三番伝え車２５４は香箱受３６０に設けられた三番伝え車ピン３６０ｇに対して回転可能に設けられる。三番伝えかな２５４ｂは角穴車３１６と噛み合うように構成される。
【００２５】
（４）切換伝え車の構造
次に、本発明の自動巻時計の実施の形態において、切換伝え車の構造を説明する。図１〜図４を参照すると、切換伝え車２２０は、切換伝えかな２２２と、切換伝えかな２２２に対して回転可能に設けられた切換上段車２３０と、切換伝えかな２２２に固定された切換上座２３６と、切換伝えかな２２２に固定された切換つめ２３８と、切換伝えかな２２２に対して回転可能に設けられた切換下段車２４０と、切換伝えかな２２２に固定された切換下座２４６とを含む。切換伝えかな２２２は、上軸部２２２ａと、ピニオン部分２２２ｂと、第１段部２２２ｃと、第２段部２２２ｄと、下軸部２２２ｅとを含む。切換上座２３６は第１段部２２２ｃに固定される。切換下座２４６は第２段部２２２ｄに固定される。
【００２６】
切換上段車２３０は、一番仲介かな２１２ｂと噛み合う切換上歯車体２３２と、ラチェット歯車２３４ｈを有しかつ切換上歯車体２３２に固定された切換上つめ車２３４とを含む。切換上歯車体２３２および切換上つめ車２３４は、切換上座２３６のつば部と切換つめ２３８との間で、切換上座２３６に対して回転可能なように構成される。切換下段車２４０は、二番仲介車２１６の二番仲介歯車２１６ａと噛み合う切換下歯車体２４２と、ラチェット歯車２４４ｈを有しかつ切換下歯車体２４２に固定された切換下つめ車２４４とを含む。切換下歯車体２４２および切換下つめ車２４４は、切換下座２４６のつば部と切換つめ２３３との間で、切換下座２４６に対して回転可能なように構成される。
【００２７】
図４〜図６を参照すると、切換つめ２３８は、上作動部２３８ｂと、上ばね部２３８ｃと、ベース部２３８ｄと、下作動部２３８ｆと、下ばね部２３８ｇと、ベース部２３８ｄに設けられた中心穴２３８ｋとを含む。切換つめ２３８の上ばね部２３８ｃは上作動部２３８ｂとベース部２３８ｄとの間に設けられ。切換つめ２３８の下ばね部２３８ｇは下作動部２３８ｆとベース部２３８ｄとの間に設けられる。
【００２８】
切換つめ２３８は、ステンレス鋼などの弾性材料で作られる。ベース部２３８ｄの中心穴は切換上座２３８に固定される。したがって、切換つめ２３８は切換伝えかな２２２と一体に回転するように構成される。切換つめ２３８の上作動部２３８ｂは、切換上つめ車２３４のラチェット歯車２３４ｈに噛み合うことができるように構成される。切換つめ２３８の下作動部２３８ｆは、切換下つめ車２４４のラチェット歯車２４４ｈに噛み合うことができるように構成される。切換つめ２３８の上ばね部２３８ｃは、ベース部２３８ｄに対して上方に直角になるように構成されるのがよい。切換つめ２３８の上作動部２３８ｂは上ばね部２３８ｃの先端部に形成される。この構成により、切換つめ２３８の上作動部２３８ｂは、上ばね部２３８ｃの弾性力により、切換上つめ車２３４のラチェット歯車２３４ｈに確実に押しつけられる。
【００２９】
切換つめ２３８の下ばね部２３８ｇは、ベース部２３８ｄに対して下方に直角になるように構成されるのがよい。切換つめ２３８の下作動部２３８ｆは下ばね部２３８ｇの先端部に形成される。この構成により、切換つめ２３８の下作動部２３８ｆは、下ばね部２３８ｇの弾性力により、切換下つめ車２４４のラチェット歯車２４４ｈに確実に押しつけられる。ベース部２３８ｄに対して平行な平面に投影したときの切換つめ２３８の平面形状は、切換つめ２３８の中心穴２３８ｋの中心を基準として点対称形状であるのがよい。この構成により、切換つめ２３８は、切換上つめ車２３４のラチェット歯車２３４ｈと、切換下つめ車２４４のラチェット歯車２４４ｈに確実にバランスよく押しつけられるようになる。。
【００３０】
（５）自動巻機構の作用
次に、本発明の自動巻時計の実施の形態において、自動巻機構の作用を説明する。図３および図５を参照すると、回転錘２１０が時計周り方向に回転したときの作動について説明する。回転錘２１０が時計周り方向に回転すると、一番仲介車２１２は反時計周り方向に回転する。一番仲介車２１２が反時計周り方向に回転すると、切換上歯車体２３２は時計周り方向に回転する。切換上歯車体２３２が時計周り方向に回転すると、切換上つめ車２３４も時計周り方向に回転する。この状態では、切換つめ２３８の上作動部２３８ｂは切換上つめ車２３４のラチェット歯車２３４ｈと噛み合う。したがって、切換上つめ車２３４が時計周り方向に回転することにより切換つめ２３８も時計周り方向に回転するので、切換伝えかな２２２も時計周り方向に回転する。
【００３１】
また、一番仲介車２１２が反時計周り方向に回転すると、二番仲介車２１６は時計周り方向に回転する。二番仲介車２１６が時計周り方向に回転すると、切換下歯車体２４２は反時計周り方向に回転する。切換下歯車体２４２が反時計周り方向に回転すると、切換下つめ車２４４も反時計周り方向に回転する。この状態では、切換つめ２３８の下作動部２３８ｆは切換下つめ車２４４のラチェット歯車２４４ｈから逃げるように作動する。したがって、切換下歯車体２４２が回転することにより切換伝えかな２２２を回転させることはできない。
【００３２】
次に、図３および図６を参照すると、回転錘２１０が反時計周り方向に回転したときの作動について説明する。回転錘２１０が反時計周り方向に回転すると、一番仲介車２１２は時計周り方向に回転する。一番仲介車２１２が時計周り方向に回転すると、切換上歯車体２３２は反時計周り方向に回転する。切換上歯車体２３２が反時計周り方向に回転すると、切換上つめ車２３４も反時計周り方向に回転する。この状態では、切換つめ２３８の上作動部２３８ｂは切換上つめ車２３４のラチェット歯車２３４ｈから逃げるように作動する。したがって、切換上歯車体２３２が回転することにより切換伝えかな２２２を回転させることはできない。
【００３３】
また、一番仲介車２１２が時計周り方向に回転すると、二番仲介車２１６は反時計周り方向に回転する。二番仲介車２１６が反時計周り方向に回転すると、切換下歯車体２４２は時計周り方向に回転する。切換下歯車体２４２が時計周り方向に回転すると、切換下つめ車２４４も時計周り方向に回転する。この状態では、切換つめ２３８の下作動部２３８ｆは切換下つめ車２４４のラチェット歯車２４４ｈと噛み合う。したがって、切換下つめ車２４４が時計周り方向に回転することにより切換つめ２３８も時計周り方向に回転するので、切換伝えかな２２２も時計周り方向に回転する。
【００３４】
以上説明したように、本発明の自動巻時計の自動巻機構では、回転錘２１０が時計周り方向に回転したときも、回転錘２１０が反時計周り方向に回転したときも、切換伝えかな２２２は一定方向、すなわち、時計周り方向に回転することができる。このような作動は、切換つめ２３８を備えた本発明の自動巻時計の切換伝え車２２０により、確実に行われる。
本発明の自動巻時計の自動巻機構においては、回転錘２１０が回転する方向にかかわらず、切換伝えかな２２２の回転方向は一定であるので、切換伝えかな２２２の回転に基づいて、一番伝え車２５０、三番伝え車２５２の回転を介して角穴車３１６を一方向にのみ回転させることができる。図３および図８を参照すると、角穴車３１６が回転することにより、香箱車３２０内のぜんまい３２２を一方向にのみ巻き上げることができる。
【００３５】
（５）自動巻機構の変形例の構造と作用
次に、本発明の自動巻時計の実施の形態において、自動巻機構の変形例の構造と作用を説明する。以下の説明は、主として、本発明の自動巻時計の変形例の構造及び作用と、上記の本発明の自動巻時計の実施形態の構造及び作用の相違点について行う。したがって、以下に記載がない個所は、前述した本発明の自動巻時計の実施形態についての説明をここに準用する。
図１０を参照すると、本発明の自動巻時計の自動巻機構の変形例においては、自動巻機構は回転錘５１０と、回転錘５１０の回転に基づいて回転する一番仲介車５１２と、一番仲介車５１２の回転に基づいて回転する二番仲介車５１６と、一番仲介車５１２および二番仲介車５１６の回転に基づいて１方向に回転する切換伝え車５２０を備えている。回転錘５１０は、輪列受５６２に固定された内輪５１０ａと、複数のボール５１０ｂと、外輪５１０ｃと、外輪５１０ｃと一体に設けられた回転錘かな５１０ｄと、外輪５１０ｃに固定された回転錘体５１０ｅと、回転錘体５１０ｅに固定された回転重錘５１０ｆとを含む。
【００３６】
外輪５１０ｃはボール５１０ｂを介して内輪５１０ａに対して回転可能なように構成される。一番仲介車５１２は一番仲介歯車５１２ａと、一番仲介かな５１２ｂとを含む。一番仲介車５１２は地板５０２に設けられた一番仲介車ピン５０２ｇに対して回転可能に設けられる。回転錘かな５１０ｄは一番仲介歯車５１２ａと噛み合う。切換伝え車５２０は、切換伝えかな５２２と、切換上段車５３０と、切換伝えかな５２２に固定された切換上座５３６と、切換伝えかな５２２に固定された切換中座５２４と、切換下段車５４０と、切換伝えかな５２２に固定された切換下座５４６とを含む。
【００３７】
切換上段車５３０は、一番仲介かな５１２ｂと噛み合う切換上歯車体５３２と、ラチェット歯車５３４ｈを有しかつ切換上歯車体５３２に固定された切換上つめ車５３４とを含む。切換上歯車体５３２および切換上つめ車５３４は、切換上座５３６のつば部と切換中座５２４との間で、切換上座５３６に対して回転可能なように構成される。切換下段車５４０は、二番仲介車５１６の二番仲介歯車と噛み合う切換下歯車体５４２と、ラチェット歯車５４４ｈを有しかつ切換下歯車体５４２に固定された切換下つめ車５４４とを含む。切換下歯車体５４２および切換下つめ車５４４は、切換下座５４６のつば部と切換中座５２４との間で、切換下座５４６に対して回転可能なように構成される。
【００３８】
切換伝え車ピン５２６が切換中座５２４に固定される。上クラッチつめ５３８が切換伝え車ピン５２６を回転中心として回転可能なように、切換上歯車体５３２と切換中座５２４との間に配置される。上クラッチつめ５３８の上ラチェットつめ５３８ｂ、５３８ｃは、切換上つめ車５３４のラチェット歯車５３４ｈに噛み合うことができるように構成される。下クラッチつめ５４８が切換伝え車ピン５２６を回転中心として回転可能なように、切換下歯車体５４２と切換中座５２４との間に配置される。下クラッチつめ５４８の下ラチェットつめ５４８ｂ、５４８ｃは、切換下つめ車５４４のラチェット歯車５４４ｈに噛み合うことができるように構成される。
【００３９】
図１１を参照すると、回転錘５１０が時計周り方向に回転したときの作動について説明する。回転錘５１０が時計周り方向に回転すると、一番仲介車５１２は反時計周り方向に回転する。一番仲介車５１２が反時計周り方向に回転すると、切換上歯車体５３２は時計周り方向に回転する。切換上歯車体５３２が時計周り方向に回転すると、切換上つめ車５３４も時計周り方向に回転する。この状態では、上ラチェットつめ５３８ｂは切換上つめ車５３４のラチェット歯車５３４ｈと噛み合い、切換中座５２４が時計周り方向に回転するので、切換伝えかな５２２も時計周り方向に回転する。また、一番仲介車５１２が反時計周り方向に回転すると、二番仲介車５１６は時計周り方向に回転する。二番仲介車５１６が時計周り方向に回転すると、切換下歯車体５４２は反時計周り方向に回転する。切換下歯車体５４２が反時計周り方向に回転すると、切換下つめ車５４４も反時計周り方向に回転する。この状態では、下ラチェットつめ５４８ｂ、５４８ｃは切換下つめ車５４４のラチェット歯車５４４ｈから逃げるように作動するので、切換下歯車体５４２の回転により切換伝えかな５２２を回転させることはできない。
【００４０】
次に、図１２を参照すると、回転錘５１０が反時計周り方向に回転したときの作動について説明する。回転錘５１０が反時計周り方向に回転すると、一番仲介車５１２は時計周り方向に回転する。一番仲介車５１２が時計周り方向に回転すると、切換上歯車体５３２は反時計周り方向に回転する。切換上歯車体５３２が反時計周り方向に回転すると、切換上つめ車５３４も反時計周り方向に回転する。この状態では、上ラチェットつめ５３８ｂ、５３８ｃは切換上つめ車５３４のラチェット歯車５３４ｈから逃げるように作動するので、切換上歯車体５３２の回転により切換伝えかな５２２を回転させることはできない。
【００４１】
また、一番仲介車５１２が時計周り方向に回転すると、二番仲介車５１６は反時計周り方向に回転する。二番仲介車５１６が反時計周り方向に回転すると、切換下歯車体５４２は時計周り方向に回転する。切換下歯車体５４２が時計周り方向に回転すると、切換下つめ車５４４も時計周り方向に回転する。この状態では、下ラチェットつめ５４８ｂは切換下つめ車５４４のラチェット歯車５４４ｈと噛み合い、切換中座５２４が時計周り方向に回転するので、切換伝えかな５２２も時計周り方向に回転する。したがって、このような自動巻機構では、回転錘５１０が時計周り方向に回転したときも、回転錘５１０が反時計周り方向に回転したときも、切換伝えかな５２２は一定方向、すなわち、時計周り方向に回転することができる。
【００４２】
上述した自動巻機構の変形例においては、回転錘５１０が回転する方向にかかわらず、切換伝えかな５２２の回転方向は一定であるので、切換伝えかな５２２の回転に基づいて、一番伝え車５５０などを含む伝達輪列の回転を介して角穴車３１６が一方向にのみ回転することができる。そして、角穴車３１６が回転することにより、香箱車３２０内のぜんまいを一方向にのみ巻き上げることができる。
【００４３】
（６）切換装置の構造
次に、本発明の自動巻時計の実施形態において、切換装置の構造について説明する。。図１３および図１８を参照すると、本発明の自動巻時計では、ムーブメント１００の裏側（文字板側）において、ムーブメントの基板を構成する地板１０２に、分車３２４（筒車３５４）の回転中心３００を通り、巻真３１０の中心軸線とほぼ平行な地板基準垂直軸線３０６、及び、分車３２４の回転中心３００を通り地板基準垂直軸線３０６と垂直な地板基準水平軸線３０８を定義する。地板１０２には、地板基準垂直軸線３０６の一方の側に位置しかつ地板基準水平軸線３０８より巻真３１０に近い方の側に第１領域３０１が設けられる。地板１０２には、地板基準垂直軸線３０６の他方の側に位置しかつ地板基準水平軸線３０８より巻真３１０に近い方の側に第２領域３０２が設けられる。地板１０２には、地板基準垂直軸線３０６の上記第２領域３０２のある上記他方の側に位置しかつ地板基準水平軸線３０８より巻真３１０から遠い方の側に第３領域３０３が設けられる。地板１０２には、地板基準垂直軸線３０６の上記第１領域のある上記一方の側に位置しかつ地板基準水平軸線３０８より巻真３１０から遠い方の側に第４領域３０４が設けられている。
【００４４】
ムーブメント１００の裏側（文字板側）において、おしどり４２０の揺動中心４２０ｃは第２領域３０２内にある。かんぬき４３０の揺動中心４３０ｃは第２領域３０２内にある。作動レバー４５０の揺動中心４５０ｃは第２領域３０２内にある。かんぬき押さえ４４０がおしどり４２０、かんぬき４３０、作動レバー４５０のそれぞれの一部を地板１０２に押さえている。おしどり４２０、かんぬき４３０、かんぬき押さえ４４０、作動レバー４５０は、地板１０２の裏側に組み込まれる。小鉄車４６４が作動レバー４５０に回転可能に取り付けられる。つづみ車４６２が巻真３１０に同軸に取り付けられる。
【００４５】
かんぬき押さえ４４０は弾性変形可能な材料で製造され、例えば、ステンレス鋼で製造されるのが好ましい。かんぬき４３０は弾性変形可能な材料で製造され、例えば、ステンレス鋼で製造されるのが好ましい。おしどり４２０の回転方向における位置を決めるためのおしどり位置決めピン４２０ｇが、おしどり４２０に設けられる。かんぬき押さえ４４０の山形部分４４２が、おしどり４２０のおしどり位置決めピン４２０ｇに係合して、おしどり４２０の回転方向における位置を決め、かつ、巻真３１０の切換重さを設定する。
作動レバー４５０の回転方向における位置を決めるための作動レバー位置決めピン４２０ｆが、おしどり４２０に設けられる。作動レバー位置決めピン４２０ｆを受け入れるための作動レバー案内穴が作動レバー４５０に設けられる。おしどり４２０が回転することにより、作動レバー位置決めピン４２０ｆは作動レバー案内穴の中を移動するように構成される。それによって、巻真３１０を０段目から１段目にしたとき、作動レバー４５０は回転せず、巻真３１０を１段目から２段目にしたとき、作動レバー４５０は回転するように構成される。
【００４６】
本発明の自動巻時計では、巻真３１０を０段目から１段目、２段目に引き出すことができるように、かんぬき押さえ４４０の山形部分４４２を構成している。かんぬき４３０のばね部分４３２のばね力により、かんぬき４３０の案内谷部がおしどり４２０の先端部分の側面に押しつけられる。巻真３１０を０段目にした状態で、巻真３１０を回転させても、つづみ車４６２は回転せず、つづみ車４６２は小鉄車４６４と噛合うように構成される。巻真３１０を１段目にした状態で、巻真３１０を回転させると、つづみ車４６２は回転し、つづみ車４６２は小鉄車４６４と噛合い、巻真３１０を回転させると、つづみ車４６２の回転を介して小鉄車４６４は回転するように構成される。巻真３１０を２段目にした状態で、巻真３１０を回転させると、つづみ車４６２は回転するように構成される。さらに、巻真３１０を１段目から２段目にしたとき、作動レバー４５０が回転することにより、つづみ車４６２は小鉄車４６４と噛合い、小鉄車４６４は日の裏車３４８と噛合う。この状態で、巻真３１０を回転させるとつづみ車４６２と小鉄車４６４の回転を介して、日の裏車３４８は回転するように構成される。
【００４７】
（７）規正装置の構造
次に、本発明の自動巻時計の実施形態において、規正装置の構造について説明する。
（７・１）かんぬきと一体に形成された規正部
図１７〜図１９を参照すると、規正レバー部４７０が、かんぬき４３０と一体に形成される。規正レバー部は、規正レバーばね部４７０ａと、規正部分４７０ｂとを含む。規正部分４７０ｂは規正レバーばね部４７０ａの先端に設けられる。規正部分４７０ｂは、規正レバーばね部４７０ａに対して直角になるように形成される。規正部分４７０ｂは、地板１０２に設けられた窓部を貫通して、地板１０２の表側に延びる。規正部分４７０ｂは、地板１０２の表側において、てんぷ３４０のてん輪３４０ｂの外周部を規正することができるような位置に配置される。
【００４８】
巻真３１０を１段目から２段目にしたとき、かんぬき４３０は回転し、規正部分４７０ｂが、てん輪３４０ｂの外周部を規正することができるように構成される。規正レバーばね部４７０ａを設けることにより、規正レバー４７０が規正する力によって、てん輪３４０ｂが破損するのを有効に阻止することができる。
図１７を参照すると、ムーブメント１００の表側において、規正レバー部４７０の規正部分４７０ｂが、てん輪３４０ｂを規正する部分は、第２領域３０２内にある。この構成により、薄型で小型な規正装置を自動巻時計に効率よく配置することができる。
【００４９】
（７・２）かんぬきと別個に構成された規正レバー
変形例として、ムーブメント１００の裏側において、かんぬき４３０と別個に構成された規正レバー（図示せず）を地板１０２に対して回転可能に配置することもできる。この場合、規正レバーは弾性変形可能な材料で製造され、例えば、ステンレス鋼で製造されるのが好ましい。このような規正レバーは、規正レバーばね部と、規正部分と、ベース部分と、回転ばね部とを含む。規正レバーばね部および回転ばね部は、ベース部分から別々の方向に延びる。規正部分は規正レバーばね部の先端に設けられる。規正レバーは、地板１０２に設けられた規正レバーピンを回転中心として回転するように構成される。巻真３１０が０段目にあるとき、回転ばね部の弾性力により、規正レバーは、図１８において、時計まわり方向に回転する力を受ける。このとき、規正レバーの一部がおしどりの作動レバー位置決めピンに当たり、規正レバーの回転方向における位置が位置決めされるように構成することができる。
【００５０】
規正レバーは、その一部がおしどりと作動レバーとの間に配置される。規正部分は、規正レバーばね部に対して直角になるように形成される。規正部分は、地板１０２に設けられた窓部を貫通して、地板１０２の表側に延びる。規正部分は、地板１０２の表側において、てんぷ３４０のてん輪３４０ｂの外周部を規正することができるような位置に配置される。
おしどり４２０に設けられた作動レバー位置決めピン４２０ｆと接触するための接触部が規正レバーに設けられる。おしどりが回転することにより、作動レバー位置決めピン４２０ｆは規正レバーを押すように構成される。それによって、巻真３１０を０段目から１段目にしたとき、作動レバー４５０は回転しない。巻真３１０を１段目から２段目にしたとき、作動レバー位置決めピン４２０ｆにより規正レバーは回転し、規正部分が、てん輪３４０ｂの外周部を規正することができるように構成される。
【００５１】
（８）カレンダ装置の構造
次に、本発明の自動巻時計の実施形態において、カレンダ装置の構造について説明する。図７において、第１領域３０１及び第４領域３０４は地板基準垂直軸線３０６より左側にあるが、これらの領域は地板基準垂直軸線３０６より右側にあるように定義してもよい。このときには、第２領域３０２及び第３領域３０３は、地板基準垂直軸線３０６より左側にあるように定義する。筒車３５４が日回し中間車Ａ７０２と噛み合う。日回し中間車Ａ７０２が日回し中間車Ｂ７０４の日回し中間歯車と噛み合う。日回し中間車Ｂ７０４の日回し中間かなが日回し車７０６と噛み合う。日車７２０が地板１０２に回転可能に組み込まれる。日回しつめ７３０が日回し車７０６に一体に設けられる。日回し車７０６が回転することにより、日回しつめ７３０が日車７２０を回転させるように構成される。日回しつめ７３０を一体に形成した日回し車７０６は、日回し手段を構成する。
【００５２】
日修正伝え車Ａ７０８が日修正伝え車Ｂ７１０と噛み合う。日修正伝え車Ｂ７１０は日修正車７１４と噛み合う。日修正車７１４は、揺動可能に地板１０２の円弧長穴１０２ｈに組み込まれる。日修正かな７１６が日修正車７１４に一体に設けられる。図１４および図１５を参照すると、巻真３１０を１段目にした状態で、日修正車７１４が一方の方向に揺動した第１位置にあるとき、日修正かな７１６は日車７２０の内歯部分７２０ａとかみあうように構成される。日修正車７１４が他方の方向に揺動した第２位置にあるとき、日修正かな７１６は日車７２０の内歯部分７２０ａとかみあわないように構成される。巻真３１０を１段目にした状態で、巻真３１０を回転させると、つづみ車４６２と小鉄車４６４の回転を介して日修正伝え車Ａ７０８は回転するように構成される。この状態で、日修正伝え車Ａ７０８の回転により、日修正伝え車Ｂの回転を介して日修正車７１４と日修正かな７１６が回転して、日修正かな７１６により日車７２０の内歯部分７２０ａを回転させるように構成される。
【００５３】
図１４および図１５を参照すると、日ジャンパ７４０が、地板１０２の文字板１０４の側で第２領域３０２および第３領域３０３内に設けられる。日ジャンパ７４０は、ベース部分７４１と、日車規正部７４２と、日ジャンパばね部分７４４とを含む。ベース部分７４１に設けられた穴が、地板１０２に設けられた日ジャンパピンに組み込まれる。ベース部分７４１に設けられた穴の中心は、日ジャンパ７４０の回転中心７４０ｃを構成する。日ジャンパ７４０の日車規正部７４２は日車７２０の内歯部分７２０ａに係合して、日車７２０の回転を規正する。
【００５４】
日ジャンパ７４０の日ジャンパばね部分７４４は、日車規正部７４２を基準として、日ジャンパ７４０の回転中心７４０ｃから日車７２０の回転する方向と逆の方向に向かって延びる。日ジャンパばね部分７４４をこのように構成することにより、日車７２０を滑らかに回転させることができる。日ジャンパ７４０は弾性変形可能な材料で製造される。例えば、日ジャンパ７４０はりん青銅或いはステンレス鋼で製造されるのが好ましい。日車７２０の回転方向は反時計回り方向である。日ジャンパ７４０は日車７２０を規正する日車規正手段を構成する。日ジャンパ７４０を日車押さえ７６０と一体に形成してもよいし、或いは、日ジャンパ７４０を日車押さえ７６０と別個に形成してもよい。日車押さえ７６０に日ジャンパ７４０を一体に形成するとき、日車押さえ７６０は弾性変形可能な材料で製造される。この場合に、日車押さえ７６０は、例えば、りん青銅或いはステンレス鋼で製造されるのが好ましい。
【００５５】
日修正伝え車Ａ７０８の回転中心は、第１領域３０１内に位置する。日修正伝え車Ｂ７１０の回転中心は、第１領域３０１内に位置する。日修正伝え車Ｂ７１０の回転中心は、第１領域３０１内に位置する。日車７２０を規正する日ジャンパ７４０の規正部７４２は、第３領域３０３内でを有する。日回し車７０６の回転中心は、第３領域３０３内に位置する。日回しつめ７３０の回転中心も、第３領域３０３内に位置する。
【００５６】
日回し車７０６は、筒車３５４の回転に基づいて回転する日回し歯車部と、日回し歯車部の地板１０２のある方の面の中心に設けられた日回し軸部（図示せず）とを備える。日回し軸部は、地板１０２の日回し車組込穴に回転可能に組み込まれる。日車押さえ７６０の一部が、日回し車７０６の少なくとも一部を回転可能に地板１０２に保持する日回し車保持部を有する。この構造により、日回し車７０６を地板１０２に保持することができる。日回し車７０６は、ポリアセタールのようなプラスチックで製造されるのが好ましい。これにより、日回し車７０６の製造は容易になり、また、日回し車７０６は滑らかに回転することができる。複数の日車押さえ止めねじ７８０により、日車押さえ７６０を地板１０２に固定する。日車押さえ止めねじ７８０を３本以上設けるのが好ましい。
【００５７】
日回しつめ７３０は、日回し車７０６に一体に設けられた中心部分７３１と、中心部分７３１から延びる円弧状のばね部分７３２と、日車７２０を回転させるための日車送り部分７３３とを含む。日車送り部分７３３は、ばね部分７３２の先端に設けられる。図１５に矢印で示すように、日車７２０は反時計周り方向に回転するように構成される。同様に、図１５に矢印で示すように、日回し車７０６も反時計周り方向に回転するように構成される。図１５は、日回し車７０６とともに日回しつめ７３０の日車送り部分７３３が回転してきて、まさに日車７２０の内歯部分７２０ａに接触した状態を示している。日車７２０の内歯部分７２０ａは、３１個の三角形の歯を含む。
【００５８】
日ジャンパ７４０の日車規正部７４２は、第１規正部７４２ａと、第２規正部７４２ｂとを含む。図１５に示す状態において、第１規正部７４２ａは、日車７２０の内歯部分７２０ａのうちの第１歯７２０ｆの歯先の円弧に接触し、第２規正部７４２ｂは、日車７２０の内歯部分７２０ａのうちの第２歯７２０ｇの歯先の円弧に接触している。
【００５９】
（９）カレンダ装置の作動
次に、本発明の自動巻時計のカレンダ装置の作動について説明する。
（９・１）日送り
最初に、本発明の自動巻時計の日送りの作動について説明する。図１４および図１５を参照すると、筒車３５４は、表輪列の回転に基づいて１２時間に１回転する。日回し中間車Ａ７０２は筒車３５４の回転に基づいて回転する。日回し中間車Ｂ７０４は日回し中間車Ａ７０２の回転に基づいて回転する。日回し車７０６は、日回し中間車Ｂ７０４の回転に基づいて、２４時間に１回転する。日回し車７０６と一体の日回しつめ７３０が回転することによりにより、日車７２０を１日に１回、日付１日分だけ回転させることができる。日車７２０の回転方向の位置は、日ジャンパ７４０により規正されている。
図１５を参照すると、図１５に示す状態から、更に、日回し車７０６と日回しつめ７３０が回転すると、日回しつめ７３０は日車７２０を、日付１日分だけ回転させることができる。
【００６０】
（９・２）日修正
次に、本発明の自動巻時計の日修正の作動について説明する。図１４および図１６を参照すると、日修正をするときには、巻真３１０を１段目に引き出す。すると、つづみ車４６２の歯が小鉄車４６４と噛み合う。巻真３１０を１段目にした状態で、巻真３１０を第１方向に回転させると、小鉄車４６４が回転し、日修正伝え車Ａ７０８の回転を介して、日修正伝え車Ｂ７１０が矢印で示す方向に回転する。日修正伝え車Ｂ７１０が矢印で示す方向に回転すると、日修正車７１４は一方の方向に揺動した第１位置（日修正かな７１６が日車７２０の内歯部分７２０ａに噛合う位置）に移動する。日修正車７１４が一方の方向に揺動した第１位置にあるとき、日修正かな７１６は日車７２０の内歯部分７２０ａとかみあう。この状態で、巻真３１０を第１方向に回転させることにより、日車７２０を矢印で示す方向に回転させて、日修正を行うことができる。
【００６１】
巻真３１０を１段目にした状態で、巻真３１０を第１方向と反対の第２方向に回転させると、小鉄車４６４が回転し、日修正伝え車Ａ７０８の回転を介して、日修正伝え車Ｂ７１０が矢印で示す方向と反対の方向に回転する。日修正伝え車Ｂ７１０が矢印で示す方向と反対の方向に回転すると、日修正車７１４は他方の方向に揺動した第２位置（日修正かな７１６が日車７２０の内歯部分７２０ａに噛合わない位置）に移動する。この状態で、この状態で、巻真３１０を第２方向に回転させても、日車７２０は回転せず、日修正を行うことはできない。
【００６２】
日修正伝え車Ａ７０８が日修正伝え車Ｂ７１０と噛み合う。日修正伝え車Ｂ７１０は日修正車７１４と噛み合う。日修正車７１４は、揺動可能に地板１０２の円弧長穴１０２ｈに組み込まれる。日修正かな７１６が日修正車７１４に一体に設けられる。図１４および図１５を参照すると、日修正車７１４が他方の方向に揺動した第２位置にあるとき、日修正かな７１６は日車７２０の内歯部分７２０ａとかみあわないように構成される。巻真３１０を１段目にした状態で、巻真３１０を回転させると、つづみ車４６２と小鉄車４６４の回転を介して日修正伝え車Ａ７０８は回転するように構成される。この状態で、日修正伝え車Ａ７０８の回転により、日修正伝え車Ｂの回転を介して日修正車７１４と日修正かな７１６が回転して、日修正かな７１６により日車７２０の内歯部分７２０ａを回転させるように構成される。
【００６３】
（１０）ムーブメントの表側における部品の配置
図１及び図７において、地板１０２に、分車３２４の回転中心３００を通り、巻真３１０の中心軸線とほぼ平行な地板基準垂直軸線３０６、及び、分車３２４の回転中心３００を通り地板基準垂直軸線３０６と垂直な地板基準水平軸線３０８を定義する。地板１０２には、地板基準垂直軸線３０６の一方の側に位置しかつ地板基準水平軸線３０８より巻真３１０に近い方の側に第１領域３０１が設けられる。地板１０２には、地板基準垂直軸線３０６の他方の側に位置しかつ地板基準水平軸線３０８より巻真３１０に近い方の側に第２領域３０２が設けられる。地板１０２には、地板基準垂直軸線３０６の上記第２領域３０２のある上記他方の側に位置しかつ地板基準水平軸線３０８より巻真３１０から遠い方の側に第３領域３０３が設けられる。地板１０２には、地板基準垂直軸線３０６の上記第１領域のある上記一方の側に位置しかつ地板基準水平軸線３０８より巻真３１０から遠い方の側に第４領域３０４が設けられている。
【００６４】
図７において、第１領域３０１及び第４領域３０４は地板基準垂直軸線３０６より右側にあるが、これらの領域は地板基準垂直軸線３０６より左側にあるように定義してもよい。もちろんこのときには、第２領域３０２及び第３領域３０３は、地板基準垂直軸線３０６より右側にあるように定義する。
香箱車３２０の回転中心は第１領域３０１内にある。このように構成することにより、大きなトルクを有し長時間の持続が可能なぜんまいを、ムーブメントの表側に効果的に配置することができる。香箱車３２０の回転中心は第４領域３０４内にあってもよい。すなわち、香箱車３２０の回転中心は、第１領域３０１内にあってもよく、第４領域３０４内にあってもよいが、香箱車３２０は、第１領域３０１と第４領域３０４との間の地板基準水平軸線３０８にオーバーラップするように配置されている。
【００６５】
がんぎ車３３０の回転中心は第３領域３０３内にある。アンクル３４２の揺動中心は第３領域３０３内にある。てんぷ３４０の回転中心は第２領域３０２内にある。このように構成することにより、大きい香箱車を用いることができる。そして、この構成により、更に、時間精度の良い大きい慣性モーメントを持ったてんぷ３４０を、ムーブメントの表側に効果的に配置することができる。
【００６６】
てんぷ３４０の回転中心は、第３領域３０３内にあってもよい。すなわち、てんぷ３４０の回転中心は、第３領域３０３内にあってもよく、第２領域３０２内にあってもよいが、てんぷ３４０は、第２領域３０２と第３領域３０３との間の地板基準水平軸線３０８にオーバーラップするように配置されている。このように構成することにより、大きい三番車３２６を、ムーブメントの表側に効果的に配置することができる。
【００６７】
切換伝え車２２０の回転中心は、第４領域３０４内にある。しかしながら、切換伝え車２２０の回転中心は、第３領域３０３内にあってもよい。すなわち、切換伝え車２２０の回転中心は、第３領域３０３内にあってもよく、第４領域３０４内にあってもよいが、切換伝え車２２０は、第３領域３０３と第４領域３０４との間の地板基準垂直軸線３０６にオーバーラップするように配置されている。このように構成することにより、ムーブメントの表側において、切換伝え車２２０を表輪列と干渉しないように、効果的に配置することができる。
【００６８】
秒を表示するために作動する四番車３２８の回転中心は、分車３２４の回転中心３００と同一である。すなわち、本発明の自動巻時計の実施の形態は、中三針腕時計を示す。四番車３２８の回転中心は、分車３２４の回転中心３００と別個の位置にあってもよい。三番車３２６が二番車３２５の回転を四番車３２８に伝達させる。二番車３２５の回転中心は、第４領域３０４内に位置する。三番車３２６の回転中心は、第４領域３０４内に位置する。このように構成することにより、大きい三番車３２６を、ムーブメントの表側に効果的に配置することができる。
【００６９】
ここで、輪列の数は上記のものだけに制限されず、更に、１つ以上の伝達車を追加してもよい。そして、おしどり４２０の揺動中心４２０ｃが第２領域３０２内にあり、かんぬき４３０の揺動中心４３０ｃが第２領域３０２内にあるように構成される。
規正レバー４７０の規正部分４７０ｂがてん輪３４０ｂを規正する部分は第２領域３０２内にある。規正レバー４７０の回転中心は第２領域３０２内にある。この構成により、薄型で小型な規正装置を自動巻時計に効率よく配置することができる。
【００７０】
なお、上記の各部品は、図７に示す構造になるように配置されるのが好ましいが、地板基準垂直軸線３０６に対して図７に示される構造とは鏡面対称の構造になるように配置されてもよい。例えば、香箱車３２０の回転中心が第２領域３０２内にあり、がんぎ車３３０の回転中心が第４領域３０４内にあり、アンクル３４２の揺動中心が第４領域３０４内にあり、てんぷ３４０の回転中心が第１領域３０１内にあるように構成してもよい。すなわち、図７に示される構造と鏡面対称の構造では、てんぷ３４０の回転中心は、第１領域３０１内にあってもよく、第４領域３０４内にあってもよいが、てんぷ３４０は、第１領域３０１と第４領域３０４との間の地板基準水平軸線３０８にオーバーラップするように配置される。そして、図７に示される構造と鏡面対称の構造では、おしどり４２０の揺動中心４２０ｃが第１領域３０１内にあり、かんぬき４３０の揺動中心４３０ｃが第１領域３０１内にあるように構成される。図７に示される構造と鏡面対称の構造では、規正レバー４７０の規正部分４７０ｂがてん輪３４０ｂを規正する部分は第１領域３０１内にあり、規正レバー４７０の回転中心は第１領域３０１内にある。この構成により、薄型で小型な規正装置を自動巻時計に効率よく配置することができる。
【００７１】
（１１）輪列装置の作動
次に、本発明の自動巻時計の輪列装置の作動について説明する。図７から図９を参照すると、ぜんまい（図示せず）の力により、香箱車３２０が回転する。香箱車３２０の回転により二番車３２５が回転する。二番車３２５の回転により三番車３２６が回転する。三番車３２６の回転により四番車３２８が回転する。また、三番車３２６の回転により分車３２４が同時に回転する。分車３２４の回転により日の裏車３４８が回転する。日の裏車３４８の回転により筒車３５４が回転する。これらの各輪列の回転速度は、てんぷ３４０、アンクル３４２及びがんぎ車３３０の動作により制御される。その結果、四番車３２８は１分間に１回転する。分車３２４は１時間に１回転する。筒車３５４は１２時間に１回転する。
【００７２】
四番車３２８に取り付けた秒針（図示せず）で「秒」を表示する。筒かな３２４ａに取り付けた分針（図示せず）で「分」を表示する。筒車３５４に取り付けた時針（図示せず）で「時」を表示する。すなわち、四番車３２８、分車３２４、筒車３５４は、時刻情報を表示するための指示車を構成する。文字板１０４の目盛等により、時刻を読み取る。
【００７３】
（１２）切換装置の作動
次に、本発明の自動巻時計の切換装置の作動について説明する。図１３を参照すると、おしどり４２０、かんぬき４３０、かんぬき押さえ４４０、作動レバー４５０は、地板１０２の裏側に組み込まれる。小鉄車４６４が作動レバー４５０に回転可能に取り付けられる。つづみ車４６２が巻真３１０に同軸に取り付けられる。かんぬき押さえ４４０の山形部分４４２がおしどり４２０の位置決めピンに係合して、おしどり４２０の位置を決め、かつ、巻真３１０の切換重さを設定する。おしどり４２０が回転することにより、作動レバー位置決めピンは作動レバー案内穴の中を移動する。それによって、巻真３１０を０段目から１段目にしたとき、作動レバー４５０は回転せず、巻真３１０を１段目から２段目にしたとき、作動レバー４５０は回転する。
【００７４】
図１３を参照すると、巻真３１０を０段目にした状態で、巻真３１０を回転させてもつづみ車４６２は回転せず、つづみ車４６２は小鉄車４６４と噛合わない。図１４を参照すると、巻真３１０を１段目にした状態で、巻真３１０を回転させるとつづみ車４６２は回転し、つづみ車４６２は小鉄車４６４と噛合い、巻真３１０を回転させるとつづみ車４６２の回転を介して小鉄車４６４は回転する。図示していないけれども、巻真３１０を２段目にした状態で、巻真３１０を回転させるとつづみ車４６２は回転する。さらに、巻真３１０を１段目から２段目にしたとき、作動レバー４５０が回転することにより、つづみ車４６２は小鉄車４６４と噛合い、小鉄車４６４は日の裏車３４８と噛合う。この状態で、巻真３１０を回転させるとつづみ車４６２と小鉄車４６４の回転を介して日の裏車３４８は回転することができる。したがって、巻真３１０を２段目にした状態で、巻真３１０を回転させることにより、つづみ車４６２、小鉄車４６４、日の裏車３４８の回転を介して筒車３５４及び分車３２４を回転させて、時計の針合わせを行うことができる。
【００７５】
（１３）規正装置の作動
次に、本発明の自動巻時計の規正装置の作動について説明する。図１７〜図１９を参照すると、巻真３１０を０段目にした状態で、ムーブメント１００の裏側において、規正レバー４７０が地板１０２に対して回転可能に配置される。規正レバー４７０の規正部分４７０ｂは、地板１０２に設けられた窓部を貫通して、地板１０２の表側に延びる。巻真３１０を０段目にした状態で、規正レバー４７０の規正部分４７０ｂと、てんぷ３４０のてん輪３４０ｂとの間には隙間が存在している。
【００７６】
巻真３１０を０段目から１段目にしたとき、規正レバー４７０は回転しない。巻真３１０を１段目から２段目にしたとき、おしどり４２０の作動レバー位置決めピン４２０ｆが回転し、作動レバー位置決めピンにより規正レバー４７０は押される。すなわち、おしどり４２０が回転することにより、作動レバー位置決めピン４２０ｆは規正レバー４７０を押し、規正レバー４７０は第１の方向（図１７において、時計まわり方向：図１８において、反時計まわり方向）に回転する。それによって、規正レバー４７０の規正部分４７０ｂは、てん輪３４０ｂを規正する。すると、てん輪３４０ｂは回転運動を停止する。
【００７７】
巻真３１０を２段目から１段目（或いは、０段目）にすると、おしどり４２０が回転することにより、おしどり４２０の作動レバー位置決めピン４２０ｆが回転し、規正レバー４７０は、回転ばね部４７０ｆの弾性力により前記第１の方向と反対の第２の方向（図１７において、反時計まわり方向：図１８において、時計まわり方向）に回転する。それによって、規正レバー４７０の規正部分４７０ｂは、てん輪３４０ｂから離れる。それによって、てん輪３４０ｂは回転運動を開始することができる。
【００７８】
（１４）本発明の自動巻時計の他の構造の例
以上、本発明の自動巻時計の実施形態について、機械式時計、自動巻腕時計、中三針式時計、カレンダ機構のみを有する時計、巻真２段引き構造の時計について説明したけれども、本発明は下記の構造を有する時計などにも適用することができる。
【００７９】
（あ）二針式時計
上記の説明において、本発明の自動巻時計は、秒針を削除し、時針及び分針のみを備えるように構成することができる。
（い）ウイーク付き時計
上記の説明において、本発明の自動巻時計は、更に、曜表示機構を備えるように構成することができる。この場合、本発明の自動巻時計は、更に、日回し車７０６の回転に基づいて、１日に１回転する曜送りつめと、曜送りつめの回転に基づいて、１日に（３６０／７）度回転する曜車を備えるように構成することができる。更に、必要ならば、本発明の自動巻時計は、日修正車７１４の回転に基づいて、曜修正伝え車の回転を介して曜車を修正する曜修正機構を備えるように構成すればよい。
【００８０】
（う）巻真１段引き構造の時計
上記の説明において、本発明の自動巻時計を、巻真２段引き構造の時計として説明したけれども、本発明の自動巻時計は、日修正機構を削除するとき、或いは、他の構造の日修正機構（例えば、巻真プッシュ式日修正機構）を用いるとき、巻真３１０を１段目にした状態で、巻真３１０を回転させることにより、つづみ車４６２、小鉄車４６４、日の裏車３４８の回転を介して筒車３５４及び分車３２４を回転させて、時計の針合わせを行うように構成することができる。この場合、巻真３１０を１段目にした状態で、規正レバーを作動させるように構成することができる。
【図面の簡単な説明】
【図１】図１は、本発明の自動巻時計の実施形態において、回転錘、一番仲介車および切換伝え車を含む自動巻機構を示す概略部分断面図である。
【図２】図２は、本発明の自動巻時計の実施形態において、回転錘、一番仲介車、二番仲介車および切換伝え車を含む自動巻機構を示す概略部分断面図である。
【図３】図３は、本発明の自動巻時計の実施形態において、自動巻機構の概略構成を示す平面図である。
【図４】図４は、本発明の自動巻時計の実施形態において、切換伝え車の構造を示す断面図である。
【図５】図５は、本発明の自動巻時計の実施形態において、一番仲介車が反時計周り方向に回転したときの切換伝え車の作動原理を示す平面図である。
【図６】図６は、本発明の自動巻時計の実施形態において、一番仲介車が時計周り方向に回転したときの切換伝え車の作動原理を示す平面図である。
【図７】図７は、本発明の自動巻時計の実施形態において、ムーブメントの表側の概略形状を示す平面図である（図７では、自動巻機構などの一部の部品を省略し、受部材は仮想線で示している）。
【図８】図８は、本発明の自動巻時計の実施形態において、香箱から筒車の部分を示す概略部分断面図である。
【図９】図９は、本発明の自動巻時計の実施形態において、がんぎ車からてんぷの部分を示す概略部分断面図である。
【図１０】図１０は、本発明の自動巻時計の実施形態において、自動巻機構の変形例の概略構成を示す平面図である。
【図１１】図１１は、本発明の自動巻時計の実施形態において、自動巻機構の変形例における一番仲介車が反時計周り方向に回転したときの切換伝え車の作動原理を示す平面図である。
【図１２】図１２は、本発明の自動巻時計の実施形態において、自動巻機構の変形例における一番仲介車が時計周り方向に回転したときの切換伝え車の作動原理を示す平面図である。
【図１３】図１３は、本発明の自動巻時計の実施形態において、巻真が０段目にあり、日送りを開始する状態における、ムーブメントの裏側の概略形状を示す平面図である。
【図１４】図１４は、本発明の自動巻時計の実施形態において、巻真が１段目にあり、日修正を開始する状態における、ムーブメントの裏側の概略形状を示す平面図である。
【図１５】図１５は、本発明の自動巻時計の実施形態において、日送りを開始する状態における日回しつめと日車を示す部分平面図である。
【図１６】図１６は、本発明の自動巻時計の実施形態において、巻真が１段目にあり、日修正を開始する状態における日修正機構を示す部分平面図である。
【図１７】図１７は、本発明の自動巻時計の実施形態において、巻真が０段目にある状態における規正機構を示すムーブメントの表側の部分平面図である。
【図１８】図１８は、本発明の自動巻時計の実施形態において、巻真が０段目にある状態における切換機構と規正機構を示すムーブメントの裏側の部分平面図である。
【図１９】図１９は、本発明の自動巻時計の実施形態において、巻真が０段目にある状態における規正機構を示す部分断面図である。
【図２０】図２０は、本発明の自動巻時計の実施形態において、巻真が２段目にある状態における規正機構を示すムーブメントの表側の部分平面図である。
【符号の説明】
１００    ムーブメント
１０２    地板
１０４    文字板
２１０    回転錘
２１２    一番仲介車
２１６    二番仲介車
２２０    切換伝え車
２２２    切換伝えかな
２３０    切換上段車
２３６    切換上座
２３８    切換つめ
２４０    切換下段車
２４６    切換下座
２３２    切換上歯車体
２３４    切換上つめ車
２４２    切換下歯車体
２４４    切換下つめ車
２５０    一番伝え車
２５２    二番伝え車
２５４    三番伝え車
３００    二番車の回転中心
３０１    第１領域
３０２    第２領域
３０３    第３領域
３０４    第４領域
３０６    地板基準垂直軸線
３０８    地板基準水平軸線
３１０    巻真
３２０    香箱車
３２４    分車
３２５    二番車
３２６    三番車
３２８    四番車
３３０    がんぎ車
３４０    てんぷ
３４２    アンクル
３４８    日の裏車
３５４    筒車
３６０    香箱受
３６２    輪列受
４２０    おしどり
４３０    かんぬき
４４０    かんぬき押さえ
４５０    作動レバー
４６２    つづみ車
４６４    小鉄車
４７０    規正レバー
７０２    日回し中間車Ａ
７０４    日回し中間車Ｂ
７０６    日回し車
７０８    日修正伝え車Ａ
７１０    日修正伝え車Ｂ
７１４    日修正車
７１６    日修正かな
７２０    日車
７３０    日回しつめ
７４０    日ジャンパ
【図１】
2004170270.tif 000003
【図２】
2004170270.tif 000004
【図３】
2004170270.tif 000005
【図４】
2004170270.tif 000006
【図５】
2004170270.tif 000007
【図６】
2004170270.tif 000008
【図７】
2004170270.tif 000009
【図８】
2004170270.tif 000010
【図９】
2004170270.tif 000011
【図１０】
2004170270.tif 000012
【図１１】
2004170270.tif 000013
【図１２】
2004170270.tif 000014
【図１３】
2004170270.tif 000015
【図１４】
2004170270.tif 000016
【図１５】
2004170270.tif 000017
【図１６】
2004170270.tif 000018
【図１７】
2004170270.tif 000019
【図１８】
2004170270.tif 000020
【図１９】
2004170270.tif 000021
【図２０】
2004170270.tif 000022